(57)【特許請求の範囲】
【請求項１】
上の用紙に印字したバーコードが下の用紙に複写される構造の複写帳票において、そのバーコードの複写部を略同一長さの各用紙間でずらして配置してなり、上記バーコードの複写部が略同一長さの各用紙間でずれて配置される構造は、上記バーコードの複写部が用紙１枚ごとにバーコードの読取り方向と直交する方向に交互にずれて配置される構造であることを特徴とする複写帳票。
【請求項２】
上の用紙に印字したバーコードが下の用紙に複写される構造の複写帳票において、そのバーコードの複写部を略同一長さの各用紙間でずらして配置してなり、上記バーコードの複写部が略同一長さの各用紙間でずれて配置される構造は、上記バーコードの複写部が用紙の積層順に階段状に狭くなる、あるいは広くなる構造であることを特徴とする複写帳票。
【請求項３】
上の用紙に印字したバーコードが下の用紙に複写される構造の複写帳票において、そのバーコードの複写部を略同一長さの各用紙間でずらして配置してなり、上記バーコードの複写部は、上の用紙の裏面に塗布されたカーボンが下の用紙の表面に付着する複写構造であり、上記バーコードの複写部が略同一長さの各用紙間でずれて配置されるようにする手段として、上記用紙の裏面に塗布されるカーボンの塗布部を、略同一長さの各用紙間でずらして配置したことを特徴とする複写帳票。
【請求項４】
上の用紙に印字したバーコードが下の用紙に複写される構造の複写帳票において、そのバーコードの複写部を略同一長さの各用紙間でずらして配置してなり、上記バーコードの複写部は、上の用紙の裏面に塗布された発色カプセル中の発色剤が下の用紙の表面に塗布された顕色剤と反応して発色する複写構造であり、上記バーコードの複写部が略同一長さの各用紙間でずれて配置されるようにする手段として、上記用紙の表面に塗布される減感インキの塗布部を、略同一長さの各用紙間でずらして配置したことを特徴とする複写帳票。
【請求項５】
上の用紙に印字したバーコードが下の用紙に複写される構造の複写帳票において、そのバーコードの複写部を略同一長さの各用紙間でずらして配置してなり、上記バーコードの複写部は、上の用紙の裏面に塗布された発色カプセル中の発色剤が下の用紙の表面に塗布されたホワイトカーボンと反応して発色する複写構造であり、上記バーコードの複写部が略同一長さの各用紙間でずれて配置されるようにする手段として、上記用紙の表面に塗布されるホワイトカーボンの塗布部を、略同一長さの各用紙間でずらして配置したことを特徴とする複写帳票。
【請求項６】
上の用紙に印字したバーコードが下の用紙に複写される構造の複写帳票において、そのバーコードの複写部を略同一長さの各用紙間でずらして配置してなり、最上位の用紙に印字したバーコード全体のうち、下の用紙のバーコードの複写部と重ならない部位が該バーコードの読み取り位置であることを表示するコード読取り位置表示部を具備することを特徴とする複写帳票。
【発明の詳細な説明】
【０００１】
【発明の属する技術分野】
本発明は、配送伝票等として利用される複写帳票に関し、特に、バーコードが複写されている用紙を汚すことなく、当該バーコードをペン型スキャナーで読み取れるようにしたものである。
【０００２】
【従来の技術】
従来、この種の複写帳票は、たとえば、図７に示したように４枚の複写紙Ｐ１〜Ｐ４を重ねて綴じ合わせたものから構成されており、各複写紙Ｐ１〜Ｐ４の表面側にはコード表示読取りエリア１が設けられている。このコード表示読取りエリア１にはバーコード２が表示されるが、その表示作業は、ドットインパクトプリンタで１枚目の複写紙Ｐ１のコード表示読取りエリア１にバーコード２を印字するものとしている。このように印字を行うと、２枚目以降の複写紙Ｐ２〜Ｐ４には、各複写紙裏面の複写用カーボン３により、１枚目の複写紙Ｐ１に印字されたバーコード２が複写される。
【０００３】
しかしながら、上記のような従来の複写帳票にあっては、複写紙Ｐ１〜Ｐ４裏面の略全体に複写用カーボン３が塗布されているため、たとえば上側の複写紙Ｐ１のバーコード２をペン型スキャナーで読み取る場合、そのペン型スキャナーの押圧痕等が下側の複写紙Ｐ２に複写される等、上側の複写紙Ｐ１のカーボン３で下側の複写紙Ｐ２が汚れてしまい、その汚れによりバーコード２を読み取ることが困難となる等の問題点がある。
【０００４】
【発明が解決しようとする課題】
本発明は上記問題点を解決するためになされたものであり、その目的とするところは、バーコードが複写されている用紙を汚すことなく、当該バーコードをペン型スキャナーで読み取れるようにした複写帳票を提供することにある。
【０００５】
【課題を解決するための手段】
上記目的を達成するために、本発明は、上の用紙に印字したバーコードが下の用紙に複写される構造の複写帳票において、そのバーコードの複写部を略同一長さの各用紙間でずらして配置してなり、上記バーコードの複写部が略同一長さの各用紙間でずれて配置される構造は、上記バーコードの複写部が用紙１枚ごとにバーコードの読取り方向と直交する方向に交互にずれて配置される構造であることを特徴とするものである。
【０００６】
また、上記バーコードの複写部が略同一長さの各用紙間でずれて配置される構造は、上記バーコードの複写部が用紙の積層順に階段状に狭くなる、あるいは広くなる構造とすることができる。
【０００７】
上記バーコードの複写部は、上の用紙の裏面に塗布されたカーボンが下の用紙の表面に付着する複写構造とすることができ、この複写構造の場合、上記バーコードの複写部が略同一長さの各用紙間でずれて配置されるようにする手段としては、上記用紙の裏面に塗布されるカーボンの塗布部を、略同一長さの各用紙間でずらして配置すればよい。
【０００８】
上記バーコードの複写部は、上の用紙の裏面に塗布された発色カプセル中の発色剤が下の用紙の表面に塗布された顕色剤と反応して発色する複写構造とすることができ、この複写構造の場合、上記バーコードの複写部が略同一長さの各用紙間でずれて配置されるようにする手段としては、上記用紙の表面に塗布される減感インキの塗布部を、略同一長さの各用紙間でずらして配置すればよい。
【０００９】
上記バーコードの複写部は、上の用紙の裏面に塗布された発色カプセル中の発色剤が下の用紙の表面に塗布されたホワイトカーボンと反応して発色する複写構造とすることができ、この複写構造の場合、上記バーコードの複写部が略同一長さの各用紙間でずれて配置されるようにする手段としては、上記用紙の表面に塗布されるホワイトカーボンの塗布部を、略同一長さの各用紙間でずらして配置すればよい。
【００１０】
また、本発明は、最上位の用紙に印字したバーコード全体のうち、下の用紙のバーコードの複写部と重ならない部位が該バーコードの読み取り位置であることを表示するコード読取り位置表示部を具備することを特徴とするものである。
【００１１】
【発明の実施の形態】
以下、本発明に係る複写帳票の実施形態について図１乃至図６を基に詳細に説明する。
【００１２】
図１に示した本実施形態の複写帳票は４枚の用紙Ｐ１〜Ｐ４を重ねて綴じたものから構成されており、１枚目の用紙（上の用紙）Ｐ１の表面にはコード表示読取りエリア１が設けられ、このコード表示読取りエリア１にはドットインパクトプリンタによりバーコード２が印字されている。
【００１３】
また、２枚目〜４枚目の用紙（下の用紙）Ｐ２〜Ｐ４の表面にも、１枚目の用紙Ｐ１と同じ位置に、コード表示読取りエリア１が設けられ、このコード表示読取りエリア１には１枚目の用紙に印字したバーコード２が複写されているが、このようなバーコードの複写部２−１は上下の用紙Ｐ１〜Ｐ４間でずれるように配置されている。
【００１４】
本実施形態の場合、バーコードの複写部２−１は、上の用紙の裏面に塗布された複写用カーボン３が下の用紙の表面に付着した構造であり、このようなカーボン３の付着からなるバーコードの複写部２−１を上下の用紙Ｐ１〜Ｐ４間でずれて配置されるように設ける手段として、本実施形態では、用紙の裏面に塗布されるカーボン３の塗布部（以下「カーボン塗布部４」という）を、上下の用紙Ｐ１〜Ｐ４間でずらして配置する構成を採用している。
【００１５】
すなわち、本実施形態の場合、１枚目の用紙Ｐ１の裏面には、その表面側のコード表示読取りエリア１と対応する領域内に、カーボン塗布部４が設けられている。そして、２枚目〜４枚目の用紙Ｐ２〜Ｐ４の表面にも、１枚目の用紙Ｐ１と同じ位置に、コード表示読取りエリア１が設けられており、また、２枚目〜４枚目の用紙Ｐ２〜Ｐ４の裏面にも、その表面側のコード表示読取りエリアと対応する位置に、カーボン塗布部４が設けられているが、本実施形態では、これらのカーボン塗布部４が上下の用紙Ｐ１〜Ｐ４間で相互にずれて配置されるように構成している（図２参照）。
【００１６】
上記のようなカーボン塗布部４の相互ずれ構造をさらに具体的に説明すると、本実施形態の場合、１枚目の用紙Ｐ１では、コード表示読取りエリア１の上半分１ａに対応する部位をカーボン塗布部４としているのに対し、２枚目の用紙Ｐ２では、コード表示読取りエリア１の下半分１ｂに対応する部位をカーボン塗布部４とすることで、そのカーボン塗布部４の位置が１枚目の用紙Ｐ１のカーボン塗布部４とは完全にずれるように構成している。さらに、３枚目の用紙Ｐ３のカーボン塗布部４は、コード表示読取りエリア１の上半分１ａに対応する部位を占め、２枚目の用紙Ｐ２のカーボン塗布部４とは完全にずれるように設けられており、また、４枚目の用紙Ｐ４のカーボン塗布部４は、コード表示読取りエリア１の下半分１ｂに対応する部位を占め、３枚目の用紙Ｐ３のカーボン塗布部４とは完全にずれるように設けられている。
【００１７】
本実施形態の複写帳票にあっても、１枚目の用紙Ｐ１のコード表示読取りエリア１にバーコード２を印字する際はドットインパクトプリンタを用いるが、このとき、バーコード２のバー記号はコード表示読取りエリアの上半分あるいは下半分に偏らず、そのコード表示読取りエリア１の中央を通るように印字するものとする。
【００１８】
本実施形態の場合、用紙１枚ごとに各用紙Ｐ１〜Ｐ４のカーボン塗布部４が上下に交互にずれて配置されているから、上記のように１枚目の用紙Ｐ１のコード表示読取りエリア１中央を通るようにバーコード２の印字を行うと、２枚目の用紙Ｐ２ではバー記号の上半分のみ、３枚目の用紙Ｐ３ではバー記号の下半分のみ、４枚目の用紙Ｐ４ではバー記号の上半分のみがペン型スキャナー等で読取り可能に複写される。
【００１９】
１枚目の用紙Ｐ１の表面にはコード読取り位置表示部５が設けられており、このコード読取り位置表示部５は、１枚目の用紙Ｐ１に印字したバーコード２全体のうち、２枚目の用紙のバーコードの複写部２−１と重ならない部位、すなわち本実施形態ではコード表示読取りエリア１の下半分１ｂが当該バーコード２の読み取り位置であることを表示するものである。
【００２０】
コード読取り位置表示部５の具体的な構成については各種考えられるが、本実施形態の場合、１枚目の用紙Ｐ１では、コード表示読取りエリア１の下半分１ｂの領域がバーコードの読取り位置となるので、その下半分１ｂの領域の四隅にカッコマーク６を設けている。なお、２枚目の用紙Ｐ２については、コード表示読取りエリア１の上半分１ａの領域、３枚目の用紙Ｐ３については、コード表示読取りエリア１の下半分１ｂの領域、４枚目の用紙Ｐ４については、コード表示読取りエリア１の上半分１ａの領域がそれぞれのバーコードの読取り位置となるので、その各領域の四隅にカッコマーク６が設けられている。
【００２１】
ところで、上記の如く構成された本実施形態の複写帳票によると、たとえば用紙Ｐ１〜Ｐ４を重ねたまま、ペン型スキャナーで１枚目の用紙Ｐ１のバーコード２を読み取るときは、コード読取り位置表示部５に従い、用紙Ｐ１のコード表示読取りエリア１の下半分１ｂにペン型スキャナーを当てるが、このとき、コード表示読取りエリア１の下半分１ｂには用紙Ｐ１の裏面に複写用カーボン３がないので、ペン型スキャナーの押圧痕等が２枚目の用紙Ｐ２に複写されてしまう等のように、用紙Ｐ２が複写用カーボン３で汚れることはなく、この種の汚れによるバーコード２の読取りエラーを防止することができる。また、２枚目の用紙Ｐ２に複写されたバーコード２を読み取るときは、用紙Ｐ２のコード表示読取りエリア１の上半分１ａにペン型スキャナーを当てるが、このとき、コード表示読取りエリア１の上半分１ａには用紙Ｐ２の裏面に複写用カーボン３がないので、用紙Ｐ３が複写用カーボン３で汚れることもない。３枚目の用紙Ｐ３に複写されたバーコード２を読み取るときも同様である。
【００２２】
なお、上記実施形態では、バーコードの複写部２−１の複写構造として、上の用紙の裏面に塗布されたカーボン３が下の用紙の表面に付着する複写構造を採用したが、この種のバーコードの複写部２−１の複写構造については、たとえば図４に示したように、上の用紙Ｐ１、Ｐ２、Ｐ３の裏面に塗布された発色カプセル９中の発色剤が、下の用紙Ｐ２、Ｐ３、Ｐ４の表面に塗布された顕色剤１０と反応して発色する複写構造とすることができる。このような複写構造の場合、バーコードの複写部２−１が上下の用紙Ｐ１〜Ｐ４間でずれて配置されるようにする手段としては、下の用紙Ｐ２、Ｐ３、Ｐ４の表面に塗布される減感インキ１１の塗布部を、上下の用紙間Ｐ１〜Ｐ４でずらして配置すればよい。このような構成によると、減感インキ１１の塗布部にはバーコード２が複写されないから、各用紙Ｐ２、Ｐ３、Ｐ４のバーコードの複写部２−１は上下の用紙間Ｐ１〜Ｐ４でずれて配置されるものとなる。したがって、この構成の場合も上記実施形態と同様に、用紙の汚れとその汚れによるバーコードの読取りエラーを防止することができる。
【００２３】
また、図５に示したように、上記バーコードの複写部２−１の複写構造については、上の用紙Ｐ１、Ｐ２、Ｐ３の裏面に塗布された発色カプセル９中の発色剤が、下の用紙Ｐ２、Ｐ３、Ｐ４の表面に塗布されたホワイトカーボン１２と反応して発色する複写構造とすることもできる。このような複写構造の場合、バーコードの複写部２−１が上下の用紙Ｐ１〜Ｐ４間でずれて配置されるようにする手段としては、下の用紙Ｐ２、Ｐ３、Ｐ４の表面に塗布されるホワイトカーボン１２の塗布部を、上下の用紙Ｐ１〜Ｐ４間でずらして配置すればよい。このような構成によると、ホワイトカーボン１２を塗布した部分のみにバーコード２が複写されるから、各用紙Ｐ２、Ｐ３、Ｐ４のバーコードの複写部２−１が上下の用紙Ｐ１〜Ｐ４間でずれて配置されるものとなる。したがって、この構成の場合も上記実施形態と同様に、用紙の汚れとその汚れによるバーコードの読取りエラーを防止することができる。
【００２４】
上記実施形態では、バーコードの複写部２−１が上下の用紙Ｐ１〜Ｐ４間で相互にずれて配置される構造として、そのバーコードの複写部２−１が用紙１枚ごとに上下に交互にずれて配置される構造を採用したが、これに代えて、図６に示したように、各用紙Ｐ１〜Ｐ４のバーコードの複写部２−１の幅Ｌが用紙Ｐ１〜Ｐ４の積層順に階段状に狭くなる、あるいは広くなるように設けることもでき、このようなバーコードの複写部２−１の階段構造パターンによると、１枚目と２枚目の用紙Ｐ１、Ｐ２間だけでなく、１枚目と３枚目の用紙Ｐ１、Ｐ３間等でもバーコードの複写部２−１が上下にずれて配置されるので、より一層、下側の用紙が汚れ難くなる。
【００２５】
上記実施形態では、コード読取り位置表示部５として、バーコード読取り位置の四隅にカッコマーク６を表示する構成を採用したが、この種のコード読取り位置表示部５については、たとえば１枚目の用紙Ｐ１で説明すると、図６に示したように、▲１▼コード表示読取りエリア１の上半分１ａに網掛け印刷７を施すことにより、コード表示読取りエリア１の上半分１ａではバーコード２の読み取りを不可能とし、コード表示読取りエリア１の下半分１ｂだけがバーコード２を正確に読み取ることができる位置であることを示すものとする、または▲２▼コード表示読取りエリア１の下半分１ｂの領域近傍に矢印マーク８を表示する等の構成を採用することもできる。なお、カッコマーク６、網掛け印刷７、矢印マーク８については、その１つだけを採用することもできるが、カッコマーク６、網掛け印刷７、矢印マーク８を２つ以上適宜組合せて用いることもできる。
【００２６】
【発明の効果】
本発明に係る複写帳票にあっては、上記の如くバーコードの複写部が上下の用紙間でずれて配置される構成を採用したため、下の用紙を汚すことなく、上の用紙のバーコードをペン型スキャナーで読み取ることが可能となり、そのような汚れによるバーコードの読取りエラーを防止することができる。
【図面の簡単な説明】
【図１】本発明に係る複写帳票の一実施形態の説明図。
【図２】図１のＡ側から複写帳票をみたときの側面図。
【図３】本発明に係る複写帳票の他の実施形態の説明図。
【図４】本発明に係る複写帳票の他の実施形態の説明図。
【図５】本発明に係る複写帳票の他の実施形態の説明図。
【図６】本発明に係る複写帳票の他の実施形態の説明図。
【図７】従来の複写帳票の側面図。
【符号の説明】
Ｐ１〜Ｐ４  用紙
１  コード表示読取りエリア
１ａ  コード表示読取りエリアの上半分
１ｂ  コード表示読取りエリアの下半分
２  バーコード
２−１  バーコードの複写部
３  複写用カーボン
４  カーボン塗布部
５  コード読取り位置表示部
６  カッコマーク
７  網掛け印刷
８  矢印マーク
９  発色カプセル
１０  顕色剤
１１  減感インキ
１２  ホワイトカーボン
Ｌ  カーボン塗布部の幅
【図１】
0004577860.tif 000002
【図２】
0004577860.tif 000003
【図３】
0004577860.tif 000004
【図４】
0004577860.tif 000005
【図５】
0004577860.tif 000006
【図６】
0004577860.tif 000007
【図７】
0004577860.tif 000008